(57)【要約】本発明による巻付型のカートンは、互いにオーバーラップ配置される一対の底壁パネル（１２，２０）を具備している。一方の底壁パネル（１２）は、ロックタブ（３８）を備えている。このロックタブは、他方の底壁パネル（２０）の端縁から突出している突出舌部（４２）上に配置される。突出舌部（４２）には、相補形状をなすロック開口（４０）が形成されている。ロックタブ（３８）とロック開口（４０）とが係合することによって、パネル（１２，２０）が、互いにオーバーラップした状態で固定される。ロックタブ（３８）の両サイドにおいて、一方の底壁パネル（１２）は、この底壁パネルの端縁から突出した折曲可能タブ（５０，５２）を備えている。
2005532231.tif 000002
【特許請求の範囲】
【請求項１】
カートンであって、
互いにオーバーラップ配置される第１および第２パネルを具備し、
前記第１パネルには、相互に係合可能とされたオス型穿孔ロック用ロックタブおよびメス型穿孔ロック用ロックタブのうちの一方が設けられ、
前記第２パネルには、相互に係合可能とされたオス型穿孔ロック用ロックタブおよびメス型穿孔ロック用ロックタブのうちの他方が設けられ、
さらに、前記両パネルの相互ロックプロセス時に前記ロックタブどうしの位置合わせを容易とするための位置合わせ手段を具備し、
この位置合わせ手段が、前記第１パネルの端縁から突出している突出舌部と、前記第２パネルの端縁において互いに離間して配置されかつ折曲可能とされた一対をなす複数のフラップと、を備え、
前記各折曲可能フラップが、前記突出舌部の両サイドにおいて、前記第１パネルの前記端縁の直下に位置することを特徴とするカートン。
【請求項２】
請求項１記載のカートンにおいて、
前記第２パネルが、前記突出舌部の直上に配置され、
前記折曲可能フラップが、前記第１パネルの直下に配置されて、前記舌部の両サイドに対して係合することを特徴とするカートン。
【請求項３】
請求項１または２記載のカートンにおいて、
前記突出舌部が、ロック開口を備え、
このロック開口が、前記第２パネルの前記端縁に隣接して配置された前記オス型ロックタブによって係合され、これにより、前記第１および前記第２パネルを互いにオーバーラップした状態で固定することができることを特徴とするカートン。
【請求項４】
請求項３記載のカートンにおいて、
前記ロック開口が、前記メス型ロックタブによって規定されていることを特徴とするカートン。
【請求項５】
少なくとも１つの物品を収容するためのカートンであって、
互いにオーバーラップ配置される一対をなす２つの底壁パネルを具備し、
これら底壁パネルが、オーバーラップ部分上のみにおいて１つまたは複数の部分に沿って互いに固定され、これにより、固定されていないパネルの露出端縁が前記カートンの外部に露出され、
前記一方の底壁パネルの端縁の一部分が、前記他方の底壁パネルの端縁部分に対して、前記カートンの外側へとオーバーラップされ、
前記他方の底壁パネルの端縁の隣接部分が、前記一方の底壁パネルの端縁の他の部分に対して、前記カートンの外側へとオーバーラップされていることを特徴とするカートン。
【請求項６】
請求項５記載のカートンにおいて、
前記一方の底壁パネルの端縁の前記一部分が、前記他方の底壁パネルの前記端縁部分に対して固定され、
前記他方の底壁パネルの端縁の前記隣接部分が、前記一方の底壁パネルに対して未固定のままとされていることを特徴とするカートン。
【請求項７】
請求項６記載のカートンにおいて、
前記一方の底壁パネルの端縁の前記一部分が、この底壁パネルの中央端縁部分とされ、
前記他方の底壁パネルの端縁の前記隣接部分が、前記中央端縁部分の両側方位置に対応した互いに離間した一対をなす側方端縁部分とされていることを特徴とするカートン。
【請求項８】
請求項７記載のカートンにおいて、
前記一方の底壁パネルの前記中央端縁部分が、前記一対をなす側方端縁部分の間に位置した突出舌部とオーバーラップすることを特徴とするカートン。
【請求項９】
請求項８記載のカートンにおいて、
前記一方の底壁パネルの前記中央端縁部分が、この底壁パネルの端縁の凹所付き端縁部分とされているとともに、前記中央端縁部分の両サイドには、突出タブが設けられていることを特徴とするカートン。
【請求項１０】
請求項５記載のカートンにおいて、
前記突出舌部の両サイドに位置した端縁部分が、それぞれ対応する前記突出タブに対してオーバーラップすることを特徴とするカートン。
【請求項１１】
請求項９または１０記載のカートンにおいて、
前記突出タブが、前記一方の底壁パネルの前記隣接端縁部分に対して折曲可能に連接されていることを特徴とするカートン。
【請求項１２】
請求項５〜１１のいずれか１項に記載のカートンにおいて、
前記一方の底壁パネルの前記中央端縁部分と、前記他方の底壁パネルの前記隣接端縁部分とが、実質的に位置合わせされていることを特徴とするカートン。
【請求項１３】
カートンを形成するためのブランクであって、
請求項１〜１２のいずれか１項に記載されたカートンを形成するためのブランクであることを特徴とするブランク。
【請求項１４】
ブランクであって、
互いにオーバーラップ配置される第１および第２パネルを具備し、
前記第１パネルには、相互に係合可能とされたオス型穿孔ロック部材およびメス型穿孔ロック部材のうちの一方が設けられ、
前記第２パネルには、相互に係合可能とされたオス型穿孔ロック部材およびメス型穿孔ロック部材のうちの他方が設けられ、
さらに、前記両パネルの相互ロックプロセス時に前記ロック部材どうしの位置合わせを容易とするための位置合わせ手段を具備し、
この位置合わせ手段が、前記第１パネルの端縁から突出している突出舌部と、前記第２パネルの端縁において互いに離間して配置されかつ折曲可能とされた一対をなす複数のフラップと、を備え、
前記各折曲可能フラップの各々が、前記突出舌部の両サイドにおいて、前記第１パネルの前記端縁の直下に位置することを特徴とするブランク。
【請求項１５】
請求項１４記載のブランクにおいて、
前記突出舌部が、ロック開口を備え、
このロック開口が、前記第２パネルの前記端縁に隣接して配置されたロックタブによって係合され、これにより、前記第１および前記第２パネルを互いにオーバーラップした状態で固定することができることを特徴とするブランク。
【請求項１６】
請求項１５記載のブランクにおいて、
前記ロック開口が、前記メス型ロックタブによって形成されていることを特徴とするブランク。
【発明の詳細な説明】
【技術分野】
【０００１】
本発明は、互いにオーバーラップした複数の底壁パネルを備えたカートンに関するものであり、また、そのようなカートンを形成するためのブランクに関するものである。より詳細には、本発明は、底壁パネルどうしが互いにオーバーラップした状態で単一の穿孔ロック手段によって互いに固定されているような、巻付型カートンに関するものである。穿孔ロック手段は、周知のものであって、一方の底壁パネルに形成されたロックタブを備えている。このロックタブを、他方の底壁パネル内において折曲可能タブによって形成された受領開口内へと挿入し、その受領開口内においてロック係合させる。
【背景技術】
【０００２】
複数の底壁パネルを互いに固定するための単一の穿孔ロック手段を中央位置に備えているようなカートンにおいては、２つの問題点が発生することがわかっている。１つの問題点は、ロック手段が裂けやすいことである。これは、例えばカートンがスーパーマーケットの棚上において積み重ねられたときといったように、複数の底壁パネルどうしが面接触状態からズレを起こしたときに、ロック手段に引裂応力が印加されることによって、起こりやすい。他の問題点は、ロック手段を軸として両底壁パネルが回転したりあるいは傾斜したりすることである。これによってもロック手段が裂けることがあり、あるいは、ロック手段の係合が解除されてしまったりする。これにより、カートンの強度が失われ、パッケージングや販売といった目的においては、カートンは、その有効性を完全に失ってしまう。
【０００３】
本発明は、底壁パネルどうしが従来的な態様ではオーバーラップしていないような底壁パネル構成を有したカートンを提供することを追求するものである。すなわち、一方の底壁パネルの端縁が他方の底壁パネルの端縁に対して完全にオーバーラップしているのではなく、各底壁パネルの端縁どうしが『互いに上下に交番』しているような構成とされているような、底壁パネル構成を有したカートンを提供することを追求するものである。
【０００４】
巻付型に関して公知のカートンおよびブランクは、英国特許出願公開第１ ４９３ ８１１号明細書に開示されている。この文献によるカートンは、成形された２つの底壁パネルを備えている。一方の底壁パネルには、この底壁パネルの舌部に沿って配置された一連をなす３つの穿孔ロック部材が形成されており、相補的なロック開口が、他方の底壁パネルの端縁近傍に形成されている。この他方の底壁パネルの端縁は、パネルの残部に対して凹所を形成している。
【０００５】
従来とは異なる態様でもってパネルどうしをオーバーラップさせるという開示は、一切存在していない。実際、本発明によって提案される『上下に交番する』オーバーラップ構成が適用されたとしても、穿孔ロック部材を、対応ロック開口に対して位置合わせすることができない。そのため、カートンの底壁パネルどうしを互いにロックすることができない。
【特許文献１】英国特許出願公開第１ ４９３ ８１１号明細書
【発明の開示】
【課題を解決するための手段】
【０００６】
本発明は、従来技術における上記様々な問題点を解決することあるいは少なくとも軽減することを追求するものである。
【０００７】
本発明の一見地においては、カートンであって、互いにオーバーラップ配置される第１および第２パネルを具備し、第１パネルには、相互に係合可能とされたオス型穿孔ロック用ロックタブおよびメス型穿孔ロック用ロックタブのうちの一方が設けられ、第２パネルには、相互に係合可能とされたオス型穿孔ロック用ロックタブおよびメス型穿孔ロック用ロックタブのうちの他方が設けられ、さらに、両パネルの相互ロックプロセス時にロックタブどうしの位置合わせを容易とするための位置合わせ手段を具備しているような、カートンが提供される。この位置合わせ手段は、第１パネルの端縁から突出している突出舌部と、第２パネルの端縁において互いに離間して配置されかつ折曲可能とされた一対をなす複数のフラップと、を備えている。各折曲可能フラップは、突出舌部の両サイドにおいて、第１パネルの端縁の直下に位置する。
【０００８】
好ましくは、第２パネルは、突出舌部の直上に配置され、折曲可能フラップは、第１パネルの直下に配置されて、舌部の両サイドに対して係合する。
【０００９】
本発明のこの見地における付加的な特徴点においては、突出舌部は、ロック開口を備え、このロック開口は、第２パネルの端縁に隣接して配置されたオス型ロックタブによって係合され、これにより、第１および第２パネルを互いにオーバーラップした状態で固定することができる。好ましくは、ロック開口は、メス型ロックタブによって規定される。
【００１０】
本発明の第２の見地においては、少なくとも１つの物品を収容するためのカートンであって、互いにオーバーラップ配置される一対をなす２つの底壁パネルを具備し、これら底壁パネルは、オーバーラップ部分上のみにおいて１つまたは複数の部分に沿って互いに固定され、これにより、固定されていないパネルの露出端縁がカートンの外部に露出されているような、カートンが提供される。一方の底壁パネルの端縁の一部分は、他方の底壁パネルの端縁部分に対して、カートンの外側へとオーバーラップされ、他方の底壁パネルの端縁の隣接部分は、一方の底壁パネルの端縁の他の部分に対して、カートンの外側へとオーバーラップされる。
【００１１】
好ましくは、一方の底壁パネルの端縁の一部分は、他方の底壁パネルの端縁部分に対して固定され、かつ、他方の底壁パネルの端縁の隣接部分は、一方の底壁パネルに対して未固定のままとされる。
【００１２】
いくつかの実施形態においては、一方の底壁パネルの端縁の一部分は、この底壁パネルの中央端縁部分とされ、他方の底壁パネルの端縁の隣接部分は、中央端縁部分の両側方位置に対応した互いに離間した一対をなす側方端縁部分とされる。
【００１３】
一方の底壁パネルの中央端縁部分は、一対をなす側方端縁部分の間に位置した突出舌部とオーバーラップすることができる。
【００１４】
好ましくは、一方の底壁パネルの中央端縁部分は、この底壁パネルの端縁の凹所付き端縁部分とされるとともに、中央端縁部分の両サイドには、突出タブが設けられる。
【００１５】
これに代えて、突出舌部の両サイドに位置した端縁部分は、それぞれ対応する突出タブに対してオーバーラップすることができる。
【００１６】
本発明のこの第２見地における付加的な特徴点においては、突出タブは、一方の底壁パネルの隣接端縁部分に対して折曲可能に連接される。
【００１７】
本発明のこの第２見地における他の付加的な特徴点においては、一方の底壁パネルの中央端縁部分と、他方の底壁パネルの隣接端縁部分とが、実質的に位置合わせされる。
【００１８】
本発明の第３の見地においては、ブランクであって、互いにオーバーラップ配置される第１および第２パネルを具備し、第１パネルには、相互に係合可能とされたオス型穿孔ロック部材およびメス型穿孔ロック部材のうちの一方が設けられ、第２パネルには、相互に係合可能とされたオス型穿孔ロック部材およびメス型穿孔ロック部材のうちの他方が設けられ、さらに、両パネルの相互ロックプロセス時にロック部材どうしの位置合わせを容易とするための位置合わせ手段を具備し、この位置合わせ手段は、第１パネルの端縁から突出している突出舌部と、第２パネルの端縁において互いに離間して配置されかつ折曲可能とされた一対をなす複数のフラップと、を備え、各折曲可能フラップの各々は、突出舌部の両サイドにおいて、第１パネルの端縁の直下に位置するような、ブランクが提供される。
【００１９】
好ましくは、突出舌部は、ロック開口を備え、このロック開口は、第２パネルの端縁に隣接して配置されたロックタブによって係合され、これにより、第１および第２パネルを互いにオーバーラップした状態で固定することができる。
【００２０】
好ましくは、ロック開口は、メス型ロックタブによって形成される。
【発明を実施するための最良の形態】
【００２１】
以下、添付図面を参照しつつ、本発明を何ら限定するものではない単なる例示としてのいくつかの実施形態を例にとって、本発明に関して説明する。
【００２２】
特に図１には、ブランク（１０）が示されており、このブランクは、厚紙や同様の機能を有した他のシート材料から形成されている。この実施形態においては、ブランクは、周知の巻付型のものとされ、例えば一群をなす複数の深い容器（あるいは、ポット）‘Ｐ’（図２）といったような一組をなす複数の容器の周囲に巻き付けられるものとされている。長尺ブランク（１０）は、第１底壁パネル（１２）と、第１側壁パネル（１４）と、頂壁パネル（１６）と、第２側壁パネル（１８）と、第２底壁パネル（２０）と、を備えているとともに、これらパネルが、折曲線（２２，２４，２６，２８）のそれぞれに沿って隣接するパネルどうしが互いに折曲可能に連結されているようにして、構成されている。
【００２３】
ある種の実施形態においては、ブランクから形成されたスリーブ内へと複数の物品が導入された際に、端部からの物品の逸脱を防止し得るよう、ヒール保持開口（３０，３２）が、横方向折曲線（２２）に沿って、部分的には第１底壁パネル（１２）内に、また、部分的には第１側壁パネル（１４）内に、形成されている。各ヒール保持開口は、それぞれ対応する折曲可能フラップ（３０ａ，３２ａ）によって、機能が増強されている。同様のヒール保持開口（３４，３６）が、横方向折曲線（２８）に沿って、部分的には第２底壁パネル（２０）内に、また、部分的には第２側壁パネル（１８）内に、形成されている。これらヒール保持開口も、同様に、それぞれ対応する折曲可能フラップ（３４ａ，３６ａ）によって、機能が増強されている。
【００２４】
第１底壁パネル（１２）は、穿孔ロックタイプのものとされた『オス型』ロックタブ（３８）を有している。このようなロック部材は、当該技術分野においては周知であり、ロックタブは、基部折曲線（３８ａ）回りに折曲可能なものとして構成されており、この折曲によって、ブランクがなす平面から突出することができる。ロックタブは、ロック開口（４０）に対して位置合わせされたときには、ロック開口（４０）内に受領される。ロック開口（４０）は、この実施形態においては、第２底壁パネル（２０）内に形成された折曲可能タブ（４０ａ）（『メス型』タブ）によって形成されている。
【００２５】
従来の通常的な構成においては、ロックタブを有した底壁パネルを、カートンの外側から、ロック開口を有した底壁パネルに対してオーバーラップした位置関係とすることによって、ただ単に両底壁パネルをオーバーラップさせていた。しかしながら、本発明においては、両底壁パネルを、『上下に交番した』構成でもって、オーバーラップさせる。この目的のために、第２底壁パネル（２０）の自由端縁には、突出舌部（４２）が形成されている。突出舌部（４２）は、第２底壁パネル（２０）のこの自由端縁の残部をなす隣接部分（４４，４６）を超えて突出している。好ましくは、ロック開口（４０）は、突出舌部（４２）内に形成される。ブランクの反対側の端部においては、第１底壁パネル（１２）に、中央端縁（４８）が形成されている。この中央端縁（４８）の両側方には、一対をなす折曲可能フラップ（５０，５２）が設けられている。折曲可能フラップ（５０，５２）は、それぞれ対応する折曲線（５０ａ，５２ａ）を有している。中央端縁（４８）と両折曲可能フラップ（５０，５２）とによって、凹所が形成されている。
【００２６】
ブランクから開始して、フラットに圧潰された状態の完成カートンを形成するには、一連をなす順次的な折曲操作を行う必要がある。このような操作に関しては、図２〜図６を参照して詳細に後述する。折曲操作は、１つ以上の直線ライン型機械によって行うことができる。よって、カートンを完成させるに際して、回転させたりひっくり返したりする必要はない。折曲操作は、後述のものに限定されるものではなく、特定の製造要求に従って変更することができる。
【００２７】
さて、図２〜図４に示すように、ブランクは、図示のような一群をなす複数の深い容器（あるいは、ポット）‘Ｐ’に対して適用される。これにより、第２底壁パネル（２０）を、複数の深い容器の底面に対して当接させることができ、また、頂壁パネル（１６）を、複数の深い容器の頂面に対して当接させることができる。この場合、隣接している２つの深い容器の各周縁ヒール部分を、それぞれ対応するヒール保持開口（３４，３６）内に受領する。
【００２８】
その後、第１底壁パネル（１２）を操作することによって、残りの２つの深い容器上へと当接させる。この際に、折曲可能フラップ（５０，５２）を、それぞれ対応する折曲線（５０ａ，５２ａ）に沿ってカートンの内方へと折り曲げる。その後、折曲可能フラップ（５０，５２）を、図３に示すように、第２底壁パネル（２０）の突出舌部（４２）の両サイドに位置した端縁部分（４４，４６）の直下へとスライド挿入する。同様に、両底壁パネルを、スライドによってオーバーラップ関係へと移行させる際には、舌部（４２）が、凹所（５４）内へと進入し、図４に示すように、第２底壁パネル（２０）の端縁部分（４８）の直下へと進入する。
【００２９】
このようにして、両底壁パネルが、『上下に交番した』となる。すなわち、図５に示すように、第２底壁パネル（２０）の突出舌部（４２）が、第１底壁パネル（１２）の中央領域の直下に位置し、なおかつ、隣接端縁部分（４４，４６）が、折曲可能フラップ（５０，５２）の直上に位置している。
【００３０】
オーバーラップ構成は、図３および図４に最も明瞭に示されている。図５に示すように、第１底壁パネル（１２）と第２底壁パネル（２０）とが完全にオーバーラップした状態では、ロックタブ（３８）が、ロック開口（４０）に対して完全に位置合わせされ、その後、穿孔ロックを行ってロック係合状態となる。これにより、第１底壁パネル（１２）と第２底壁パネル（２０）とを、互いに固定することができる。オーバーラップ構成でもって完全に係合した状態では、第１底壁パネル（１２）の端縁（４８）は、第２底壁パネル（２０）の端縁部分（４４，４６）に対して、実質的に位置合わせされている。
【００３１】
よって、両底壁パネルを、『上下に交番した』構成でもって完全にオーバーラップしたものとし、さらに、固定ロックを係合させた時点では、底壁パネルの露出部分が、位置ズレを比較的起こしにくい。すなわち、第２底壁パネル（２０）から離間する傾向のある凹所付き端縁（４８）が、位置ズレを比較的起こしにくい。しかしながら、凹所付き端縁（４８）は、両底壁パネルの中間介在ロック領域内に位置しており、そのため、第２底壁パネル（２０）から浮き上がってしまうことに対して、抵抗性を示す。
【００３２】
同様に、『上下に交番した』ロック構成は、傾斜を防止する。すなわち、中央ロックを回転中心とした各底壁パネルの相対回転を防止する。このような傾斜すなわち相対回転は、従来的オーバーラップ構成とされた公知の底壁パネルにおける欠点である。
【００３３】
完成しかつ導入が完了したカートンが、図６において斜視図によって示されている。ここで、一方の折曲可能フラップが、１つの深い容器の直下に位置している様子が、図示されている。
【００３４】
本明細書においては、各パネルに関しての『頂』や『底』や『端』や『側』や『上側』や『下側』や『内側』や『外側』といったような向きに関する用語が、各パネルをそのような向きに限定するものではなく、各パネルを互いに識別するためだけに機能していることは、理解されるであろう。また、すべての折曲可能な連結は、必ずしも単一の折曲線だけによって構成されるわけではない。実際、折曲可能な連結は、本発明の範囲を逸脱することなく、切込線や切取線や折曲線の中の１つまたは複数のものから形成することができる。
【００３５】
本発明の範囲を逸脱することなく、様々な変形が可能であることは、理解されるであろう。例えば、カートンは、単一の物品を収容し得るように、あるいは、２つ以上の物品を収容し得るように、構成することができる。しかしながら、開口およびパネルに関してのサイズや形状は、パッケージング対象をなす物品に関する特定の要求に応じて調節することができ、また、他の公知の物品保持手段を使用することができる。本発明および本発明の好ましい実施形態は、ある程度のフレキシブルさを有しつつも、例えば一次容器といったような物品を安定的に保持し得るような十分な剛直さをもたらし得る形状のものとして構成されたカートンに関するものである。ブランクの形状は、カートンの形成のために必要な厚紙の量を最小化する。物品は、手動によってもまた自動機械によってもカートンに対して適用することができる。本発明は、巻付型カートンのみに限定することなく、トレータイプのカートンや様々なタイプのカートンに対して適用し得ることが想定されている。
【図面の簡単な説明】
【００３６】
【図１】本発明の一実施形態による巻付型カートンを形成するためのブランクを示す平面図である。
【図２】この実施形態においては乳製品を収容した深い容器とされた一群をなす４つの容器に対して、ブランクを部分的に適用した様子を示す斜視図である。
【図３】導入済みカートンを示す平面図であって、底壁パネルどうしをオーバーラップ関係とする際の様子が示されている。
【図４】図３と同様の底壁パネルを示す平面図であるものの、ロックタブが、ロック開口に対して概略位置合わせされており、ロックタブを係合させ得る状況となっている。
【図５】完成したカートンにおいて互いにオーバーラップした底壁パネルを示す平面図であって、底壁パネルどうしが、完全にオーバーラップしていて、互いにロックされている。
【図６】本発明の一実施形態による導入済みカートンを示す斜視図であって、一端から見たなおかつ斜め上方から見た斜視図である。
【符号の説明】
【００３７】
１０    ブランク
１２    第１底壁パネル
１４    第１側壁パネル
１６    頂壁パネル
１８    第２側壁パネル
２０    第２底壁パネル
３８    『オス型』ロックタブ
４０    ロック開口
４０ａ  折曲可能タブ
４２    突出舌部
４４    隣接端縁部分
４６    隣接端縁部分
４８    中央端縁、凹所付き端縁
５０    折曲可能フラップ
５２    折曲可能フラップ
５４    凹所
【図１】
2005532231.tif 000003
【図２】
2005532231.tif 000004
【図３】
2005532231.tif 000005
【図４】
2005532231.tif 000006
【図５】
2005532231.tif 000007
【図６】
2005532231.tif 000008
【手続補正書】
【提出日】平成16年3月31日(2004.3.31)
【手続補正１】
【補正対象書類名】特許請求の範囲
【補正対象項目名】全文
【補正方法】変更
【補正の内容】
【特許請求の範囲】
【請求項１】
カートンであって、
互いにオーバーラップ配置される第１および第２パネルを具備し、
前記第１パネルには、相互に係合可能とされたオス型穿孔ロック用ロックタブおよびメス型穿孔ロック用ロックタブのうちの一方が設けられ、
前記第２パネルには、相互に係合可能とされたオス型穿孔ロック用ロックタブおよびメス型穿孔ロック用ロックタブのうちの他方が設けられ、
さらに、前記両パネルの相互ロックプロセス時に前記ロックタブどうしの位置合わせを容易とするための位置合わせ手段を具備し、
この位置合わせ手段が、前記第１パネルの端縁から突出している突出舌部と、前記第２パネルの端縁において互いに離間して配置されかつ折曲可能とされた一対をなす複数のフラップと、を備え、
前記各折曲可能フラップが、前記突出舌部の両サイドにおいて、前記第１パネルの前記端縁の直下に位置することを特徴とするカートン。
【請求項２】
請求項１記載のカートンにおいて、
前記第２パネルが、前記突出舌部の直上に配置され、
前記折曲可能フラップが、前記第１パネルの直下に配置されて、前記舌部の両サイドに対して係合することを特徴とするカートン。
【請求項３】
請求項１または２記載のカートンにおいて、
前記突出舌部が、ロック開口を備え、
このロック開口が、前記第２パネルの前記端縁に隣接して配置された前記オス型ロックタブによって係合され、これにより、前記第１および前記第２パネルを互いにオーバーラップした状態で固定することができることを特徴とするカートン。
【請求項４】
請求項３記載のカートンにおいて、
前記ロック開口が、前記メス型ロックタブによって規定されていることを特徴とするカートン。
【請求項５】
ブランクであって、
このブランクの両端に位置した第１および第２パネルを具備し、
前記第１パネルには、相互に係合可能とされたオス型穿孔ロック部材およびメス型穿孔ロック部材のうちの一方が設けられ、
前記第２パネルには、相互に係合可能とされたオス型穿孔ロック部材およびメス型穿孔ロック部材のうちの他方が設けられ、
さらに、前記両パネルの相互ロックプロセス時に前記ロック部材どうしの位置合わせを容易とするための位置合わせ手段を具備し、
この位置合わせ手段が、前記第１パネルの端縁から突出している突出舌部と、前記第２パネルの端縁において互いに離間して配置されかつ折曲可能とされた一対をなす複数のフラップと、を備え、
前記各折曲可能フラップの各々が、前記両パネルがオーバーラップ関係とされる際には、前記突出舌部の両サイドにおいて、前記第１パネルの前記端縁の直下に位置し得るようなサイズおよび配置とされていることを特徴とするブランク。
【請求項６】
請求項５記載のブランクにおいて、
前記突出舌部が、ロック開口を備え、
このロック開口が、前記第２パネルの前記端縁に隣接して配置されたロックタブによって係合され、これにより、前記第１および前記第２パネルを互いにオーバーラップした状態で固定することができることを特徴とするブランク。
【請求項７】
請求項６記載のブランクにおいて、
前記ロック開口が、前記メス型ロックタブによって形成されていることを特徴とするブランク。
【国際調査報告】
2005532231.tif 000009
2005532231.tif 000010
2005532231.tif 000011
2005532231.tif 000012
2005532231.tif 000013